【事件の表示】
　平成８年特許願第６２３１号「ディジタル信号用アンテナ」拒絶査定不服審判事件〔平成９年７月３１日出願公開、特開平９−１９９９３０〕について、次のとおり審決する。
【結　論】
　本件審判の請求は、成り立たない。
【理　由】
１．手続の経緯・本願発明
　本願は、平成８年１月１８日の出願であって、特許請求の範囲の請求項１に係る発明（以下、「本願発明」という。）は、平成１６年１０月２１日付け手続補正書により補正された明細書及び図面の記載からみて、その特許請求の範囲の請求項１に記載された以下のとおりのものと認める。
　
　「搬送波を有しないパルス状のディジタル信号を送信又は受信する素子（１，２）を有し、該素子（１，２）の基端を饋電点とするアンテナであって、
　パルス状のディジタル信号（イ）に対し不必要な余分のパルス（ロ）を軽減するために、少なくとも１つの素子（１）についてはその基部を除く先端部に電波吸収体（５）を設けたことを特徴とするディジタル信号用アンテナ。」
　
２．引用発明及び周知技術
（１）これに対し、当審の拒絶理由に引用された実願昭６０−１０７１４６号の願書に添付された明細書と図面を撮影したマイクロフィルム（実開昭６２−１７２１１号参照、以下、「引用例」という。）には、図面とともに、以下の事項が記載されている。
　イ．「アンテナエレメントに於いて、カーボニル鉄ダスト、モリブデン・パーマロイ、センダスト、等を含有するフェライト等の圧粉磁性体をアンテナエレメントの先端部又は全部に塗布又は焼結しし、又は該磁性体部材を該アンテナ先端部に固着し、これらを構成したことを特徴としたアンテナ。」（明細書１頁、実用新案登録請求の範囲）
　ロ．「本考案は、無線通信機のアンテナに関して、電波の発射又は受信のメリットを改善したアンテナを提供して、電波通信の分野に効率良く利用され得るものである。」（明細書１頁１３〜１６行目）
　ハ．「本考案の作用は、図面第２図で図示した様な従前の金属製アンテナエレメント１では該金属導線上の抵抗値が低い為に効率の良い電波エネルギーの変換に限界があり、電気エネルギーの損失が認められる点を前記構成により改善して、該磁性体５、６、７等を金属製アンテナエレメント２、３、４、等に設けることに因って、電気エネルギーを電波エネルギーに変換、又は電波エネルギーを電気エネルギーに変換、等を効率良くそれら作用を行っている。」（明細書２頁１０〜１９行目）
　ニ．「本考案の一実施例は、図面第１図（イ）、（ロ）、（ハ）に示した様に、グランドプレイン型のアンテナエレメントを形成しているが、その他各種形式のアンテナエレメントにも応用可能である。」（明細書３頁７〜１０行目）
　
　上記記載及び図面ならびにこの分野における技術常識を考慮すると、上記引用例には以下の発明（以下、「引用発明」という。）が記載されている。
　「電波を発射又は受信するアンテナエレメントを有するグランドプレイン型アンテナであって、
　電気エネルギーと電波エネルギーの変換効率を改善するために、アンテナエレメントの先端部にカーボニル鉄ダスト等を含有するフェライト磁性体を設けたことを特徴とするアンテナ。」
　
（２）例えば特開平６−６１２５号公報（以下、「周知例１」という。）には、図面とともに、以下の事項イ．が記載されており、また例えば実願昭６２−１９５９２１号の願書に添付された明細書と図面を撮影したマイクロフィルム（実開平１−１００５３８号参照、以下、「周知例２」という。）には、図面とともに、以下の事項ロ．が記載されている。
　イ．「グランドプレーンアンテナは図５に示すように導体線１２とカウンタポイズ用導体線１３とで構成され、導体線１２の一端ｐが給電点として使用され、ここに信号源１４が接続される。」（２頁１欄１７〜２０行目）
　ロ．「このアンテナ効率の低下を防ぐ方法として、第２図の点線で描いたように、アンテナ２と対称の位置に１／４波長のグランドプレーンを設け、これを無線装置のグランド８に接続し、グランド８のインピーダンスを下げて、アンテナ２の効率を上げる事が行なわれている。」（明細書３頁１０〜１５行目）
　
　上記周知例１、２の記載及び図面ならびにこの分野における技術常識を考慮すると、「グランドプレイン型アンテナ」は「信号を送信又は受信する素子（輻射素子，カウンタポイズ素子）を有し、該素子の基端をそれぞれ信号と接地の饋電点とするアンテナ」である。
　
（３）例えば特開昭５１−１２１２００号公報（以下、「周知例３」という。）には、図面とともに、以下の事項イ．が記載されており、また例えば特公昭３１−１０２９１号公報（以下、「周知例４」という。）には、図面とともに、以下の事項ロ．が記載されている。
　イ．「フェライト粉末とカーボニル鉄、カーボニルニッケル、パーマロイ等の金属強磁性体粉末をゴム、プラスチック等の高分子材料に混合分散せしめてなる複合電波吸収材料。」（１頁、特許請求の範囲）
　ロ．「本発明はフェライトを含む２種以上の強磁性粉の混合物、特に重量比にて４０％以上のフェライトとカーボニル鉄、還元鉄或はセンダスト等の混合物よりなることを特徴とするポリアイアンに関す。
　ポリアイアンは周知のようにダストコアーと同様絶縁物中に強磁性体粉末を分散して含有させて作られた特にマイクロ波用の減衰体である。」（１頁左欄１０〜１７行目）
　
　上記周知例３、４の記載及び図面ならびにこの分野における技術常識を考慮すると、「カーボニル鉄ダスト等を含有するフェライト磁性体」は「電波吸収体」である。
　
（４）例えば特開平４−２７０５０４号公報（以下、「周知例５」という。）には、図面とともに、以下の事項イ．が記載されており、また例えば実願平３−４６９０６号のＣＤ−ＲＯＭ（実開平５−２８１０８号参照、以下、「周知例６」という。）には、図面とともに、以下の事項ロ．が記載されている。
　イ．「【００４５】次に動作について説明する。給電点１から入射した前進波は、Ｖダイポール３上を先端に向かって進行する。ここで各々スタブ４からの放射と誘電体基板２の損失によるコンダクタンスにより先端まで行く間に前進波は消滅し、先端からの反射波を生じない。この結果Ｖダイポール３の開き角を大きくして、Ｖダイポール３上の伝送区間を短くしても、誘電体基板２の損失により減衰性の進行波が得られるので、広帯域で無指向性アンテナを構成できる。
【００４６】なお、上記実施例ではアンテナを平衡型としていたが、不平衡型にしてもよい。図２はこのように構成した本発明の他の実施例を示す。図において、５は傾斜モノポール、６は地板、４は傾斜モノポール５に装荷するスタブ、２は誘電体基板である。この実施例は傾斜モノポール５と地板６とのなす角度が図１の実施例の開き角１１０〜１２０度の半分となるようにモノポールを傾けている。この実施例はこのように構成することにより、広帯域で無指向性の不平衡型アンテナを構成することができる。」（４頁５欄３２行目〜６欄４行目）
　ロ．「【従来の技術】
　図４は従来のスパイラルアンテナを示している。同図において、１はキャビティで、その端面には、スパイラルエレメント２を有する基板３を当接してある。４は筒状部５の一端に内向きフランジ部６を備えたリングで、筒状部５をキャビティ１の端部に嵌入してキャビティ１と基板３を接着固定してある。また、リング４の内向きフランジ部６と基板３との間に電波吸収体７を介在させて、スパイラルエレメント２の末端での反射電流の発生を防止している。」（明細書４頁６〜１２行目）
　
　上記周知例５、６の記載及び図面ならびにこの分野における技術常識を考慮すると、「アンテナエレメントの先端部に損失性物質又は電波吸収体を設け、先端からの反射波を低減すること」は周知である。
　
（５）例えば特開昭５９−１４８４０７号公報（以下、「周知例７」という。）には、図面とともに、以下の事項イ．が記載されており、また例えば特開昭５９−１９６６０７号公報（以下、「周知例８」という。）には、図面とともに、以下の事項ロ．が記載されている。
　イ．「ダイポールアンテナでは、ダイポール上に給電点から端部に向く電流と、端部で反射して戻る電流とが同時に混在するので、単一の電磁波パルスによる地下埋設物探知機等のアンテナとして、これを用いるときは、この反射パルスが地中に向けて放射される本来のパルスの後に放射され、区別がつきにくく、被探知物からのエコーの分析も非常に困難である」（１頁左下欄９〜１６行目）
　ロ．「一般に径の大きな棒状のダイポールアンテナ、平板三角形ダイポールアンテナは広帯域にわたり定インピーダンス特性をもつことが知られており広帯域なスペクトラムを有する信号の送受には上記アンテナが利用される。・・・（中略）・・・このようなアンテナにアンテナの給電点から開放端に向かって流れるのに要する時間が無視できない程度の時間幅の狭いパルスを印加したときは、給電点から開放端に向かう進行波電流によってパルスを放射し、残ったエネルギーが開放端で反射され後退波として給電点に戻るときに再放射する現象が生じ、パルスレーダ用アンテナとして上記アンテナを使用すると疑似エコーとなる欠点があり、・・・」（１頁右下欄１〜１６行目）
　
　上記周知例７、８の記載及び図面ならびにこの分野における技術常識を考慮すると、「ダイポールアンテナにパルスを印加するとアンテナ端部による反射波のため不要パルスが放射されること」は周知である。
　
３．対比
　本願発明と引用発明とを対比すると、引用発明にかかるアンテナである「グランドプレイン型アンテナ」とは周知例１、２の記載によれば「信号を送信又は受信する素子（輻射素子，カウンタポイズ素子）を有し、該素子の基端をそれぞれ信号と接地の饋電点とするアンテナ」のことであるから、本願発明の「搬送波を有しないパルス状のディジタル信号を送信又は受信する素子（１，２）を有し、該素子（１，２）の基端を饋電点とするアンテナ」と引用発明の「電波を発射又は受信するアンテナエレメントを有するグランドプレイン型アンテナ」はいずれも「信号を送信又は受信する素子（１，２）を有し、該素子（１，２）の基端を饋電点とするアンテナ」であるという点で同じである。
　また、本願発明の「パルス状のディジタル信号（イ）に対し不必要な余分のパルス（ロ）を軽減するために」という構成と引用発明の「電気エネルギーと電波エネルギーの変換効率を改善するために」という構成はいずれも「所期の目的を達成するために」という構成の点で一致している。
　また、引用発明にかかるアンテナ被覆材である「カーボニル鉄ダスト等を含有するフェライト磁性体」は例えば上記周知例３、４の記載によれば「電波吸収体」であり、図示された１つのアンテナエレメント（即ち、素子）に設けられているのであるから、当該構成は本願発明の「少なくとも１つの素子（１）についてはその基部を除く先端部に電波吸収体（５）を設けた」構成と同一である。
　したがって、本願発明と引用発明は、以下の＜一致点＞で一致し、また、＜相違点＞で相違している。
＜一致点＞
　「信号を送信又は受信する素子（１，２）を有し、該素子（１，２）の基端を饋電点とするアンテナであって、
　所期の目的を達成するために、少なくとも１つの素子（１）についてはその基部を除く先端部に電波吸収体（５）を設けたアンテナ。」
　
＜相違点＞
（１）送受信する「信号」に関し、本願発明は「搬送波を有しないパルス状のディジタル信号」であるのに対し、引用発明はその点の構成が不明である点。
（２）「所期の目的を達成するために」という構成に関し、本願発明は「パルス状のディジタル信号（イ）に対し不必要な余分のパルス（ロ）を軽減するために」という構成であるのに対し、引用発明は「電気エネルギーと電波エネルギーの変換効率を改善するために」という構成である点。
　
４．当審の判断
　そこで、まず、上記相違点（１）の「信号」について検討するに、ベースバンドのディジタル信号（即ち、パルス信号）をアンテナに直接入力し、これらの信号を送受信することは、例えば本願明細書で紹介されている「平成６年１１月２２日付、信州大学工学部における電子通信学会信越支部講演会資料、講師、富山大学工学部、三田市政司、題目、パルスアンテナ」や特開平７−２９７８５８号公報等にみられるように、従来より周知であり、上記引用発明にかかるアンテナを当該周知のディジタル信号用のアンテナとして用いることを阻害する要因は何ら見あたらないから、引用発明のアンテナを本願発明のようなディジタル信号の送受信に用いてディジタル信号用アンテナとする程度のことは当業者であれば適宜成し得ることである。
　ついで、上記相違点（２）の「所期の目的を達成するために」という構成について検討するに、引用発明の「電気エネルギーと電波エネルギーの変換効率を改善するために」という構成は、引用発明にかかる「金属製アンテナエレメント１では該金属導線上の抵抗値が低い」という欠点を除去するためのものであるから、引用発明の磁性体（即ち、電波吸収体）を設けた部分の抵抗は当然高くなっており、この部分で前記高い抵抗による損失が発生しているということである。そして、この損失がアンテナ先端における反射波（即ち、不要波）を低減させるものであることは、例えば上記周知例５、６の記載から明らかである。一方、本願発明の「パルス状のディジタル信号（イ）に対し不必要な余分のパルス（ロ）を軽減するために」という構成について検討すると、例えば上記周知例７、８の記載によれば「ダイポールアンテナにパルスを印加するとアンテナ端部による反射波のため不要パルスが放射されること」は周知であるから、本願発明の目的も不要反射波の除去に他ならないものである。したがって、本願発明の「パルス状のディジタル信号（イ）に対し不必要な余分のパルス（ロ）を軽減するために」という構成は引用発明の「電気エネルギーと電波エネルギーの変換効率を改善するために」という構成を単に「パルス状のディジタル信号」を用いた場合について再定義したものに過ぎず、本願発明と引用発明の「所期の目的」に格別の差異はないものである。
　
５．むすび
　以上のとおり、本願発明は、上記引用例に記載された発明ならびに上記周知例１〜８等に記載された周知技術に基づいて、当業者が容易に発明をすることができたものと認められるから、特許法第２９条第２項の規定により特許を受けることができない。
　
　よって、結論のとおり審決する。